(57)【要約】【課題】楽譜と音発生装置が本に一体化されている状態を維持しつつ、簡単な構造と操作で楽譜を見やすい角度に立てて演奏することができる発音装置付き音楽教習本を提供する。【解決手段】中間に背表紙部を有しこれを境に第１と第２の一対の表紙部を屈折可能に連設した厚紙からなる本体と、多数枚の楽譜片を冊子状に綴り合せてなり下面を前記第１の表紙部内側に止着した楽譜部体と、下面を前記第２の表紙部内側に止着した音発生装置と、前記楽譜部体の使用時に前記第１の表紙部を所定角度に保持する折り畳み展開自在な本立て部体とを備えている。【選択図】図４
0003125583.tif 000002
【実用新案登録請求の範囲】
【請求項１】
中間に背表紙部を有しこれを境に第１と第２の表紙部を屈折可能に連設した厚紙からなる本体と、多数枚の楽譜片を冊子状に綴り合せてなり下面を前記第１の表紙部内側に固定した楽譜部体と、前記第２の表紙部内側に固定した音発生装置と、折り畳み展開自在に構成され、前記楽譜部体の使用時に前記第１の表紙部を所定角度に保持する本立て部体とを備えていることを特徴とする発音装置付き音楽教習本。
【請求項２】
本立て部体は、紙材からなり数箇所に折り畳み用ヒンジを有するベース部と、該ベース部の端部に連設されたスタンド部を有し、そのスタンド部は立体状態から偏平状に折り畳み自在となっている請求項１に記載の発音装置付き音楽教習本。
【請求項３】
ベース部が第２の表紙部のずれを規制するストッパーを有している請求項２に記載の発音装置付き音楽教習本。
【請求項４】
ストッパーがベース部の前端付近に設けられ第２の表紙部の端縁部を係止可能となっている請求項３に記載の発音装置付き音楽教習本。
【請求項５】
本立て部体は発音装置の厚みとほぼ同等な偏平なホルダーに収納されている請求項１ないし４のいずれかに記載の発音装置付き音楽教習本。
【請求項６】
中間に背表紙部を有しこれを境に第１と第２の表紙部を屈折可能に連設した厚紙からなる本体と、多数枚の楽譜片を冊子状に綴り合せてなり下面を前記第１の表紙部内側に固定した楽譜部体と、前記第２の表紙部内側に固定した音発生装置と、折り畳み展開自在に構成され、要時に前記本体の下に敷かれること前記第１の表紙部を所定角度に保持する本立て部体とを備え、かつ前記本立て部体は、数箇所に折り畳み用ヒンジを有するベース部と、該ベース部の端部に連設された断面三角状のスタンド部を有し、そのスタンド部は所定の辺部分が立体状態から偏平状に屈折自在となっており、かつ、ベース部が前端付近に第２の表紙部の端縁部を係止するストッパーを有していることを特徴とする発音装置付き音楽教習本。
【考案の詳細な説明】
【技術分野】
【０００１】
本考案は幼児や子供の音楽教育や遊戯に好適な音発生装置付き音楽教習本に関する。
【背景技術】
【０００２】
幼児や子供の頃の音楽教育は非常に有意義であり、こうした観点から、従来、先行技術１、２のように、楽譜と電子楽器などの音発生装置を一体的にした本が知られている。
【０００３】
前記先行技術は、厚紙からなる表紙体の背表紙の上半部に多数枚の楽譜を綴り合せた楽譜部体を貼着一体化すると共に、下半部にピアノのごとき電子楽器を止着し、使用時に本を開き、楽譜部体の演奏したい頁を開き、それを見ながら電子楽器を操作するように構成されている。
しかし、先行技術においては、演奏時に楽譜が電子楽器と同じ平面状態に置かれるので、演奏者は電子楽器を操作しながら楽譜を上から覗き込むように見なければならず、このため演奏しにくく、また無理な姿勢に近いので首などが疲れやすく、長い時間教習を行いにくいという問題があった。
【０００４】
この対策としては楽譜部体を表紙体に対して分離可能にし、別途準備した楽譜立てに装架させることになる。しかしこの方法では、せっかく楽器と楽譜が一体に組み合わされた本のよさが失われるばかりか、分離された楽譜を元に戻すのが面倒であるため、楽譜部体が紛失しやすくなる問題がある。
【特許文献１】実公昭６０−３９８７８号公報
【特許文献２】実開昭６２−１８１９７９号公報
【考案の開示】
【考案が解決しようとする課題】
【０００５】
本考案は前記のような問題点を解消するためになされたもので、その目的とするところは、楽譜と音発生装置が本に一体化されている状態を維持しつつ、簡単な構造と操作で楽譜を見やすい角度に立てて軽快に音楽のけいこを行える発音装置付き音楽教習本を提供することにある。
【課題を解決するための手段】
【０００６】
上記目的を達成するため本考案は、中間に背表紙部を有しこれを境に第１と第２の表紙部を屈折可能に連設した厚紙からなる本体と、多数枚の楽譜片を冊子状に綴り合せてなり下面を前記第１の表紙部内側に固定した楽譜部体と、前記第２の表紙部内側に固定した音発生装置と、折り畳み展開自在に構成され、前記楽譜部体の使用時に前記第１の表紙部を所定角度に保持する本立て部体とを備えていることを特徴としている。
【考案の効果】
【０００７】
本考案によるときには、本立て部体は折り畳み自在であるから、不使用時は本体に組み込まれてコンパクトな形態になるので邪魔にならない。そして、演奏時には、折り畳み状態から展開して配する簡単な操作により、楽譜を付設した側の表紙部を平坦状でなく起立させた状態に保持できるので、視線をまっすぐにして譜面を見ながら楽に演奏を行うことが可能になる。また、楽譜部体を本体と分離させることが不要であるから、好ましい本形態を維持でき、重要なパーツである楽譜を散逸・紛失する心配もなくなるなどのすぐれた効果が得られる。
【考案を実施するための最良の形態】
【０００８】
本立て部体は、紙材からなり、数箇所に折り畳み用ヒンジを有するベース部と、該ベース部の端部に連設されたスタンド部を有し、そのスタンド部は立体状態から偏平状に折り畳み自在となっている。
これによれば紙質であるから安価でまた軽量であり、スタンド部は使用時には立体状であるが、それ以外の時には扁平状に変容できるので全体として薄いものにすることができる。
【０００９】
好適には、ベース部が第２の表紙部のずれを規制するストッパーを有している。
これによれば、本立て部体を本体の下に敷き、第１の表紙部をスタンド部に預けたときに楽譜部体の重みで本体が前方に位置ずれすることを規制できるので、楽譜部体の付いた第１の表紙部を安定して所定の角度で立てておくことができる。
前記ストッパーが、ベース部の前端付近に設けられ第２の表紙部の端縁部を係止可能となっている。
これによれば、構成が簡単であり、しかも確実に本体の位置ずれを防止できる。
【００１０】
本立て部体は発音装置の厚みとほぼ同等な偏平なホルダーに収納されている。
これによれば、本立て部体を要時まで扁平な状態に安定的に保持することができる。
【００１１】
本考案の好ましい総合的な態様は、中間に背表紙部を有しこれを境に第１と第２の表紙部を屈折可能に連設した厚紙からなる本体と、多数枚の楽譜片を冊子状に綴り合せてなり下面を前記第１の表紙部内側に固定した楽譜部体と、前記第２の表紙部内側に固定した音発生装置と、折り畳み展開自在に構成され、要時に前記本体の下に敷かれること前記第１の表紙部を所定角度に保持する本立て部体とを備え、かつ前記本立て部体は、数箇所に折り畳み用ヒンジを有するベース部と、該ベース部の端部に連設された断面三角状のスタンド部を有し、そのスタンド部は所定の辺部分が立体状態から偏平状に屈折自在となっており、かつ、ベース部が前端付近に第２の表紙部の端縁部を係止するストッパーを有している。
ことに、スタンド部が断面三角状であるためアングル効果により比較的薄手の材料を用いても強度が高くなり、安定した支え機能を発揮でき、また、ストッパーも切り起しなどで簡単に形成できると共に、楽譜部体の位置ずれを確実に防止でき、折り畳み式でありながら要時に所定の角度で確実に楽譜を立てておくことができる。
【実施例１】
【００１２】
以下本考案の実施例を添付図面を参照して説明する。
図１ないし図５は本考案による音楽教習本の一実施例を示しており、１は厚紙からなる本体であり、中間に帯状の背表紙部１ａを有し、これにヒンジされるかたちで対をなす第１の表紙部１ｂと第２の表紙部１ｃが連設されている。
【００１３】
２は多数枚の紙葉を積層し一側を冊子状に綴ってなる楽譜部体であり、下面が前記第１の表紙部１ｂの内面に接着等で固定されている。
各紙葉は正面から見て左方に開かれる綴りになっており、最上層（表紙）には目次の形式等で曲名表示２０がなされ、この表紙をめくった数葉には使用方法等の説明が記載され、その後の紙葉の表側には、曲名たとえば「ちょうちょう」の表示２１と、音譜２２と歌詞２３と音譜マーク２４が印刷的手法で表され、前紙の裏面には歌詞２３や当該曲にまつわる絵柄ないし図柄２５が印刷的手法で表されている。
図示しないが次の紙葉の表側には、曲名たとえば「かっこう」の表示とこの曲の音譜と歌詞と音譜マークが印刷的手法で表され、前紙の裏面には歌詞や当該曲にまつわる絵柄ないし図柄が印刷的手法で表されている。以下同様である。
【００１４】
３は音発生装置であり、この例では薄型の電子ピアノ楽器が使用されており、下面が前記第２の表紙部１ｃの適所通常は下半部域に接着等により固定されている。
音発生装置３の構造や種類に限定がないが、この例では電池と集積回路を内蔵し、上面にはスピーカ３０が臨んでいる。音発生装置３には鍵盤３１が配設され、鍵盤３１には音階の表示や番号、楽譜と対応した音譜マーク３１０などが付され、また、この例では自動演奏機能を有しているため、カラオケモードの曲番号表示３１１が付されている。
また、音発生装置３の上面には、オンオフスイッチボタン３２、ストップボタン３３、ボリューム３４、さらにはカラオケモードに切り替えるボタン３５などの各操作要素が配されている。
【００１５】
４は演奏時に前記楽譜部体２を固定している第１の表紙部１ｂを第２の表紙部１ｃに対して所要の傾斜角度を持って支持させるための本立て部体（楽譜たて）である。
前記本立て部体４は比較的厚い紙材により折り畳み・展開自在に構成されており、常態においては畳まれてホルダー５に収納されている。
【００１６】
前記本立て部体４は図２ないし図４に示されており、ベース部４ａとこれの端に連設されたスタンド部（背もたれ部）４ｂからなっている。ベース部は本体１の幅とほぼ等しいかあるいは相対的に狭い幅を持ち、展開した状態での長さＬは、本体１の背表紙部１ａと第２の表紙部１ｃの長さを合算した長さＬ１と等しいか若干大きい寸法となっている。
前記ベース部はスタンド部４ｂとふもとに相当する端部にヒンジとして折り目４０を有し、かつこれから他端部にかけてヒンジとしての複数本の折り目４１，４２が等間隔で形成されている。折り目４０〜４２はミシン目でもよい。
【００１７】
そして、前記ベース部４ａには、図５のような使用状態のときに使用時に第２の表紙部１ｃの位置ずれを止めて第１の表紙部１ｂの角度を維持させるためのストッパー４ｃが設けられている。
このストッパー４ｃはベース部４ａの上面に摩擦係数の高い部分を設けることで得てもよいが、図示するものでは、ベース部４ａの前端部上面に、第２の表紙部１ｃの端縁部１０を係止可能なストッパー４ｃが設けられている。該ストッパー４ｃは起伏可能であることが好ましく、この例では、ベース部端に突片４８を延設し、それを反転してベース部に半部４８０を貼着し、自由端側の半部４８１を折り目により起伏可能にしている。
【００１８】
スタンド部４ｂは底辺４４と斜辺４５，４５´を有する三角形状（正三角形あるいは２等辺三角形）をなすように紙材を屈曲して構成され、しかも、斜辺４５，４５´の頂縁には折り目４６が付され、所望のひとつの辺この例では底辺４４の中央にも折り目４６が付され、それら折り目４６，４６により、図２の立体状態から図３（ｂ）を経て（ａ）のように２つの大小のＶが重なり合うように屈折・扁平化されるようになっている。
スタンド部４ｂは図３（ｂ）のようにベース部を形成した紙材を延長して構成され、底辺４４の端部延長部分を斜辺４５の裏面に接着して構成される。したがって本立て部体４は全体が一枚の板紙で作られるので安価となしえる。
【００１９】
前記ホルダー５は前記音発生装置３の厚さとほぼ一致する高さに構成されている。
この例ではホルダー５は本体１と分離独立しており、不使用時には第２の表紙部１ｃにおける音発生装置３の近傍に配され、第２の表紙部１ｃと第１の表紙部１ｂを畳んだときに、楽譜部体２と第２の表紙部表面で挟持されるようになっている。
【００２０】
前記ホルダー５は、図６（ａ）のように、少なくとも一端部が開口５００した筒状をなし、その開口５００から折り畳み状態の本立て部体４を挿入すること収納するようになっており、本立て部体４は折り畳みにより生ずるスプリングバック作用でホルダー５内に摩擦保持される。したがって、ホルダー５の両端が開口したいわゆるトンネル状であってもさしつかえない。
【００２１】
しかし、ホルダー５は図６（ｂ）のように箱部５ａと開閉蓋部５ｂを有したものでもよく、この場合には、箱部５ａと開閉蓋部５ｂにベルベットファスナー式あるいは差込み式などの留め手段５ｃを備えさせる。
【００２２】
本考案の使用法と作用を説明すると、本立て部体４は畳まれて偏平なホルダー５に収納され、そのホルダー５は本体１の第２の表紙部１ｃにあるスペースに配され、第１の表紙部１ｂを畳むことにより本体１で挟持される。したがってみだりに外れて落ちることもなく、図１（ａ）のよう、外観上、通常のこの種の音楽教習本となんら変わらない。
【００２３】
本体１を開けば、図１（ｂ）のように楽譜部体２と音発生装置３が展開した第１の表紙部１ｂと第２の表紙部１ｃ上に現れる。そこでホルダー５を取り出し、これの開口から本立て部体４を取り出し展開させれば、図３（ａ）の状態から（ｂ）の状態を経て図２のようにベース部４ａが平坦状に延び、その端に三角形状に立体化したスタンド部４ｂがちょ立した状態になる。
【００２４】
そこでこの状態の本立て部体４をテーブル等に配し、本体１をあてがえば、第２の表紙部１ｃと背表紙部１ａがベース部４ａに載せられ、第１の表紙部１ｂがスタンド部４に接して起立され、スタンド部４の角度に支持される。そして、第２の表紙部１ｃの先端にベース部４ａのストッパー４ｃを当接させる。
【００２５】
これで図４と図５のような状態になるので、第１の表紙部１ｂに定着されている音譜部体２の所望のページを開き、音発生装置３の電源を入れて演奏する。このときに、音譜部体２が第１の表紙部１ｂがスタンド部４によって所定の傾斜角度で立っているので、譜面や歌詞が見やすく、自然な姿勢で軽快に演奏を行なうことができる。
スタンド部４は底辺４４と左右の斜辺４５，４５´により三角状となっているのでアングル効果により剛性と強度が高いものとなり、音譜部体２のページ数が多く重量が大きくても、またページがめくられる際に荷重がかかっても安定して第１の表紙部１ｂを支えることができる。
また、第２の表紙部１ｃは先端にベース部４ａのストッパー４ｃが当接しているので、ずれ移動が止められ、安定した傾斜状態を維持することができる。
【００２６】
演奏が終わったならば、本体１を持ち上げ、本立て部体４を左右から押して折り畳めば、図３（ａ）のようにコンパクトな偏平状になるので、ホルダー５に収納して再び第２の表紙部１ｃ上に載せ、本体を閉じれば保持される。
【００２７】
本考案は、楽譜部体を背表紙よりも上半部の表紙領域に、発音装置を前記背表紙より下半部の表紙領域にそれぞれ固定し、しかも下半部領域に、本体と独立しておりかつ上半表紙部を起立させた状態に保持可能な折り畳み自在型本立てをセットしていることが特徴であるが、図示するものはあくまでも本考案の一例であり、他に種々の態様を採用することができる。その若干例を挙げると下記のとおりである。
１）発音装置３はピアノ、オルガン、エレクトーン、シンセサイザーなどで代表される電子楽器のほか、電子オルゴールなどであってもよい。それらは本格的なもののほか、たとえば紙を素材として内部にスイッチ類と音声デバイスを組み込んだ簡易な構造のものであってもよい。
２）図示するものでは、ホルダー５が本体１と分離しているが、これに限らずホルダー５は第２の表紙部１ｃに固定されていてもよい。
３）本立て部体４は下面に滑りとめが施されていてもよい。
【図面の簡単な説明】
【００２８】
【図１】（ａ）は本考案による音発生装置付き音楽教習本の一例を閉じ状態で示す斜視図、（ｂ）は開き状態で示す斜視図である。
【図２】本考案における本立て部体の部分切欠斜視図である。
【図３】（ａ）は本立て部体を折り畳んだ状態で示す側面図、（ｂ）は展開途中の状態を示す断面図である。
【図４】（ａ）は本考案装置の使用状態を示す斜視図である。
【図５】（ａ）は使用状態の断面図、（ｂ）はその一部拡大図である。
【図６】（ａ）（ｂ）は本考案におけるホルダーの例を示す斜視図である。
【符号の説明】
【００２９】
１  本体
１ａ  背表紙部
１ｂ  第１の表紙部
１ｃ  第２の表紙部
２    音譜部体
３    音発生装置
４    本立て部体
４ａ  ベース部
４ｂ  スタンド部
４ｃ  ストッパー
５    ホルダー
【図１】
0003125583.tif 000003
【図２】
0003125583.tif 000004
【図３】
0003125583.tif 000005
【図４】
0003125583.tif 000006
【図５】
0003125583.tif 000007
【図６】
0003125583.tif 000008
【手続補正書】
【提出日】平成18年7月7日(2006.7.7)
【手続補正１】
【補正対象書類名】図面
【補正対象項目名】図１
【補正方法】変更
【補正の内容】
【図１】
0003125583.tif 000009
【手続補正２】
【補正対象書類名】図面
【補正対象項目名】図４
【補正方法】変更
【補正の内容】
【図４】
0003125583.tif 000010